(57)【要約】      （修正有）【課題】ボールがホールインした際に生じる落下音をゴルフ場のグリーンでホールインした際のそれと同様の音になるようにしたゴルフパット練習機用のホールカップを提供する。【解決手段】金属（ＳＰＣＣ）製の外側支持壁部１と、その内側下部に固定する縦断面コ字形の金属製の音響板部２とで構成する。外側支持壁部１は、ゴルフパット練習機の受け枠部の水平面用受け板のホールと同一内径の半円筒状部１ａ及びその両端から延びる直線板部１ｂ、１ｂからなる。音響板部２は、上板部２ａと、これを前端で直角に折り曲げて垂下させた直立板部２ｂと、その下端に結合した下板部とで構成する。下板部は、前端を除き、外側支持壁部１の内周に溶接固定し、直立板部２ｂは、両側上下端のみを外側支持脚部１の内周に溶接固定し、上板部は、その半円形の部位の一端から６０度及び１２０度の部位のみを外側支持壁部１の内周に点溶接したものである。【選択図】図１
0003187359.tif 000002
【実用新案登録請求の範囲】
【請求項１】
一端部付近にボールを受け入れるホールを開口した帯状パッティング領域と、前記ホールの直下に構成したホールカップ配置部とを、少なくとも備えたゴルフパット練習機における該ホールカップ配置部に配置するホールカップであって、
前記帯状パッティング領域のホールに対応する直径の半円筒状部及び該半円筒状部の両端から延びる平行な二つの直線板部からなる金属製の外側支持壁部と、前記外側支持壁部の内側下部に固設する音響板部とからなり、
前記音響板部が、平面視で、前記外側支持壁部の半円筒状部の内周形状に対応する半円形の部位及び該外側支持壁部の両直線板部間の内側形状に対応する方形の部位からなる舌片形状の上板部と、前記上板部と平面視で同一舌片形状の下板部と、前記上板部の外端(前端)及びこれと一定の間隔をあけて下方に配した前記下板部の外端（前端）を結合する直立板部とからなり、
前記下板部の外周のうち、外端（前端）部を除く外周を前記外側支持壁部の内周の対応する部位に固定し、前記直立板部の両側部のうち、その上下端部のみを前記外側支持壁部の対応する部位に固定し、かつ前記上板部の外周のうち、前記直立板部と結合した外端（前端）部を除く部位の複数箇所を前記外側支持壁部の内周の対応する部位に点結合固定したゴルフパット練習機用のホールカップ。
【請求項２】
前記上板部の外周の、前記外側支持壁部の内周と点結合固定する複数箇所として、該上板部の半円形の部位又は該外側支持壁部の半円筒状部のいずれかの一端部から周方向６０度の部位と１２０度の部位を採用した請求項１のゴルフパット練習機用のホールカップ。
【考案の詳細な説明】
【技術分野】
【０００１】
本考案は、ゴルフパット練習機のホール内に配置して、ゴルフパットの練習時に適切なパット動作の実行の結果としてボールがホールインした際に生じるボールの落下音をゴルフ場のグリーンでホールインした場合のそれと同様の音を発するように構成したゴルフパット練習機用のホールカップに関する。
【背景技術】
【０００２】
特許文献１は、パター練習装置に関し、これは、上面を開口した長方形の箱体状の基台と、該基台の開口部に敷設した人工芝マットとにより構成し、該人工芝マットの長手方向の一側寄りの下方に、前記基台内のゴルフボールを人工芝マット上に導く撥ね上げ装置と、更に他側寄りに、前記人工芝マットを上下に貫通してホールと該ホールの側部に外れボール落下ホールを設けると共に、前記基台内にはこれらのホール及び外れボール落下ホールより落下するゴルフボールを前記撥ね上げ装置に導く案内路を設けてなるものである。なお、前記ホールは、その内径が可変であるように構成することもあり得るとされる。
【０００３】
この特許文献１のパター練習装置は、練習に用いたボールが、ホールインした場合も、ホールインに失敗した場合も、全て練習者のところに戻ってくるように構成したところに特徴を有するものであり、そのホールには、ボールの落下音がゴルフ場のグリーンのホールにボールが落下した場合と同様の響きとなるような工夫は全くなされていない。また該特許文献１中には、それを示唆するような記載も見当たらない。
【０００４】
特許文献２は、ゴルフパット練習機に関し、これは、グリーンと、グリーンに切られたホールと、ホールに入ったボールが転がり出るガイド通路とを備えたゴルフパット練習機において、ホールインしたことを検知する検知手段がガイド通路に設けられ、検知手段による検知に基づいてホールインしたことを外部に報知する報知手段がグリーンに備えられているものであり、また報知手段が著名プロゴルファーの声又は視覚に訴えるものに構成されているものである。
【０００５】
この特許文献２のゴルフパット練習機は、練習に用いたボールが、ホールインした場合に、その事実を検知手段で検知し、報知手段で報知するものであるが、その報知は、音声に寄ったり、視覚に訴える手段に寄ったりするものであり、ホールイン時のボールの落下音そのものによって報知しようとするものではない。この特許文献２中には、ホールにボールが落下した場合に、ゴルフ場のグリーンのホールにボールが落下した場合と同様の音を発するようにしようとの発想は存在していない。
【０００６】
特許文献３は、ゴルフ練習具に関し、これは、長尺の芝様マットの一端部下面には傾斜面とこれに連なりゴルフ球直径よりも若干大きい寸法の厚みのある台が取り付けてあり、この台のある部分の芝様マットにホールが穿設してあり、前記台には、ホール位置に符合したホール部窪み及び台側面に通じる球転出通路が設けられているものにおいて、前記台の一部には電子的音響発生装置が取り付けてあり、これらと電気的に接続している入力用のスイッチ素子が前記ホール部窪み乃至は球転出通路の外側位置に設けてあり、このスイッチ素子の触片乃至これと一体の補助触片が、前記ホール部窪み乃至はこれの近傍の球転出通路内の底部に設けてあるものである。
【０００７】
この特許文献３のゴルフ練習具は、練習に用いたボールが、ホールインした場合に、それが、前記ホール部窪み乃至は球転出通路の底部に配してあるスイッチ素子で検出されると、前記電子的音響発生装置が一定時間動作し、予め選択してある音楽、鐘様の単音又は言語音などが発せられることになっている。ボールそのものが現実に落下することによって生じる落下音を発するようにする装置ではない。この特許文献３中にはそのような音を発するようにしようとする発想は存在していない。
【先行技術文献】
【特許文献】
【０００８】
【特許文献１】特開平０７−３０８４１５号公報
【特許文献２】特開２００３−１８０９００号公報
【特許文献３】実開昭６１−０６７７７０号公報
【考案の概要】
【考案が解決しようとする課題】
【０００９】
本考案は、ゴルフパット練習機のホール内に配置して、ゴルフパットの練習時に適切なパット動作の実行の結果としてボールがホールインした場合に生じるボールの落下音をゴルフ場のグリーンでホールインした際のそれと同様の音になるように構成したゴルフパット練習機用のホールカップを提供することを解決の課題とする。
【課題を解決するための手段】
【００１０】
本考案の１は、一端部付近にボールを受け入れるホールを開口した帯状パッティング領域と、前記ホールの直下に構成したホールカップ配置部とを、少なくとも備えたゴルフパット練習機における該ホールカップ配置部に配置するホールカップであって、
前記帯状パッティング領域のホールに対応する直径の半円筒状部及び該半円筒状部の両端から延びる平行な二つの直線板部からなる金属製の外側支持壁部と、前記外側支持壁部の内側下部に固設する音響板部とからなり、
前記音響板部が、平面視で、前記外側支持壁部の半円筒状部の内周形状に対応する半円形の部位及び該外側支持壁部の両直線板部間の内側形状に対応する方形の部位からなる舌片形状の上板部と、前記上板部と平面視で同一舌片形状の下板部と、前記上板部の外端(前端)及びこれと一定の間隔をあけて下方に配した前記下板部の外端（前端）を結合する直立板部とからなり、
前記下板部の外周のうち、外端（前端）部を除く外周を前記外側支持壁部の内周の対応する部位に固定し、前記直立板部の両側部のうち、その上下端部のみを前記外側支持壁部の対応する部位に固定し、かつ前記上板部の外周のうち、前記直立板部と結合した外端（前端）部を除く部位の複数箇所を前記外側支持壁部の内周の対応する部位に点結合固定したゴルフパット練習機用のホールカップである。
【００１１】
本考案の２は、本考案の１のゴルフパット練習機用のホールカップにおいて、
前記上板部の外周の、前記外側支持壁部の内周と点結合固定する複数箇所として、該上板部の半円形の部位又は該外側支持壁部の半円筒状部のいずれかの一端部から周方向６０度の部位と１２０度の部位を採用したものである。
【考案の効果】
【００１２】
本考案の１のゴルフパット練習機用のホールカップによれば、前記ゴルフパット練習機のホールカップ配置部に、これを配置してパッティングの練習をすると、前記帯状パッティング領域の一端側で打球し、その上を転動するボールがホールを開口した他端側に至ってホールインした場合には、当然、その直下のホールカップ配置部に配置したホールカップ中に落下し、ゴルフ場のグリーンでホールインした場合に近似する落下音を響かせることになる。ホールインの快適な感覚を味わうことができる。ゴルフパット練習機に、前記帯状パッティング領域の打球位置である一端側に戻すためのリターン手段を構成しておけば、この後、ボールは、該リターン手段を介して練習者の位置する一端側に戻ってくることになる。ゴルフパット練習機にリターン手段が構成してない場合には、当然、練習者は前記帯状パッティング領域の他端側まで移動してホール下のホールカップからボールを拾い上げることとなる。
【００１３】
本考案の１のゴルフパット練習機用のホールカップは、前記のように、金属製の外側支持壁部とその内側下部に固定される音響板部とで構成したものであり、ホールインしたボールは、該音響板部上に落下する。該音響板部は、上板部と直立板部と下板部とで縦断面コ字形に構成した金属製部材であり、該下板部は、その外周の外端（前端）を除く部位が前記外側支持壁部の内周に固定されており、該直立板部は両側上下端が該外側支持壁部の対応する部位に固定されている。また該上板部は、その外周のうち、外端（前端）を除く部位の複数箇所のみが該外側支持壁部の対応する部位に点結合固定されている。
【００１４】
そのため、前記のように、ホールインしたボールは、該音響板部においては、上板部上に落下し、該上板部は、前記のように、その外端(前端)を除く部位の複数箇所が該外側支持壁部の対応する部位に点結合固定しているだけなので、前記ボールの落下により、比較的良好に振動することが可能になる。該上板部、該直立板部、該下板部及び該外側支持壁部で囲まれた空間が共鳴器として作用し、その振動による音響を増幅することになる。こうしてゴルフ場のグリーンでホールインした場合に近似する落下音を大きく響かせ、快適な感覚を味わうことができることになる。前記のように、前記上板部の外端(前端)を除く部位の複数箇所を該外側支持壁部の対応する部位に点結合固定することが、以上のようなゴルフ場のグリーンでホールインした場合の落下音に近似する音色を発するための条件であることは実験的に確認した。
【００１５】
本考案の２のゴルフパット練習機用のホールカップによれば、ホールインに伴い前記音響板部の上にボールが落下した場合に、前記上板部の外周の外端(前端)を除く部位の前記外側支持壁部との結合箇所が、前記した二カ所であるため、その音色がよりゴルフ場のグリーンでホールインした場合のそれと近似するものとなり、ホールイン時のより快適な感覚を味わうことができることになる。これも実験的に確認した。
【図面の簡単な説明】
【００１６】
【図１】実施例のホールカップの平面図。
【図２】実施例のホールカップの正面図。
【図３】実施例のホールカップの底面図。
【図４】図１のＡ−Ａ線断面図。
【図５】実施例のホールカップを配置して使用する一例のゴルフパット練習機の一部切欠概略斜視図。
【図６】(a)は、帯状人工芝を取り外した状態の一例のゴルフパット練習機の斜視図、(b)は、更に受け枠部の上り斜面部用受け板及び水平部用受け板を取り外した状態の一例のゴルフパット練習機の斜視図。
【考案を実施するための形態】
【００１７】
考案を実施するための形態を実施例に基づき図面を参照しながら詳細に説明する。
この実施例のホールカップは、図１〜図４に示すように、基本的に、金属（ＳＰＣＣ）製の外側支持壁部１と、その内側下部に固定する縦断面コ字形の金属（ＳＰＣＣ）製の音響板部２とで構成したものである。
【００１８】
前記外側支持壁部１は、図１〜図４に示すように、ゴルフパット練習機の受け枠部３の水平面用受け板３ｃのホール３ｃｈ及びこれと上下重なる帯状人工芝６のホール６ｈに対応する直径（内径）（１０８ｍｍ）の半円筒状部１ａ及び該半円筒状部１ａの両端から延びる平行な二つの直線板部１ｂ、１ｂからなる部材である。高さは、この実施例では、７５ｍｍとした。
【００１９】
前記音響板部２は、図４に示すように、断面コ字形の部材であり、上板部２ａと、これを前端で直角に折り曲げて垂下させた直立板部２ｂと、該直立板部２ｂの下端に該上板部２ａと平行な状態に結合した下板部２ｃとで構成したものである。該直立板部２ｂの下端と該下板部２ｃの前端との結合は溶接によって行った。ｗ１はその溶接部位を示す。
【００２０】
前記音響板部２の上板部２ａ及び下板部２ｃは、図１及び図３に示すように、後部が半円形状で前部が方形であり、全体として舌片状をなす板状部材となっている。該上板部２ａ及び該下板部２ｃの後部の半円形状の部位の外径は、前記外側支持壁部材１の後部である半円筒状部１ａの内径に対応し、これを僅かに下回る寸法に構成してあり、該上板部２ａ及び該下板部２ｃの前部の方形の部位の幅寸法及び奥行き寸法は、いずれも、該外側支持壁部材１の前部である二つの直線板部１ｂ、１ｂ間の内幅寸法及び奥行き寸法を僅かに下回る寸法としたものである。
【００２１】
前記音響板部２の直立板部２ｂの高さ寸法は、この実施例では、３７ｍｍに構成した。勿論、この寸法に限定されるわけではない。また該直立板部２ｂは、図１〜図４に示すように、その両側上下端部のみを溶接により前記外側支持壁部１の内側の対応する部位に固定したものである。ｗ２、ｗ２、ｗ３、ｗ３はそれらの溶接部位を示す。
【００２２】
前記音響板部２の下板部２ｃの外周は、図３に示すように、前端部を除いて前記外側支持壁部１の内周に溶接によって固定する。ｗ４はその溶接部位を示す。この溶接部位ｗ４の左右両端は、前記直立板部２ｂの両側下端部の前記外側支持壁部１の内周との溶接部位ｗ３、ｗ３と重なり合って共通状態になっている。なお、この実施例では、下板部２ｃは、該外側支持壁部１の下端から約５ｍｍ上方の位置に配設してあり、以上のように、その位置に溶接によって固定してある。
【００２３】
前記音響板部２の上板部２ａは、図１及び図２に示すように、その後部の半円形状の部位のいずれか一方の端部から６０度及び１２０度の部位の二箇所を前記外側支持壁部１の内周の対応する部位に点溶接により固定したものである。ｗ５、ｗ５は、それらの溶接部位を示す。前記のように、前記直立板部２ｂの両側上端が該外側支持壁部１の内周の対応する部位に点溶接してあり、その溶接部位ｗ２、ｗ２は、上板部２ａの前部の方形の部位の前部両端と見なすこともでき、そう考えると、該上板部２ａは、前部両端の溶接部位ｗ２、ｗ２と、後部の前記溶接部位ｗ５、ｗ５とで、前記外側支持壁部１の内周に固設してあることになる。
【００２４】
この実施例のホールカップの構成は、以上のとおりであり、このホールカップは、ホールの直下にホールカップ配置部を有するゴルフパット練習機に使用可能である。この実施例では、最適なそれとして以下のゴルフパット練習機を用いることにした。以下そのゴルフパット練習機の構成について説明する。
【００２５】
このゴルフパット練習機は、図５及び図６に示すように、上部解放及び前部解放の受け枠本体３ａと、該受け枠本体３ａの内側前部に上り斜面を構成するために配置する上り斜面用受け板３ｂと、該受け枠本体３ａ内で、該上り斜面用受け板３ｂの後端から延長すべく配置する水平面用受け板３ｃであって、そのほぼ中央部にホール３ｃｈを開口した水平面用受け板３ｃと、該水平面用受け板３ｃのホール３ｃｈの直下に構成したホールカップ配置部３ｄと（以上が受け枠３を構成する）、該ホールカップ配置部３ｄの直前に配置する、ボールを外部のリターン通路５に案内するガイド通路４と、前記受け枠本体３ａの外側部に前方に向けて配置するリターン通路５と、前記水平面用受け板３ｃ上に後端部側を載置し、前記上り斜面用受け板３ｂ上を介して前方に延長する帯状人工芝６であって、後端部側を該水平面用受け板３ｃ上に載置した状態でそのホール３ｃｈに上下対応する位置関係でホール６ｈを開口した帯状人工芝６と、で構成したものである。
【００２６】
前記受け枠本体３ａは、図６(a)、(b)に示すように、その後端に後部壁を、両側に側壁を、それぞれ立ち上げている。両側の側壁は、同図に示すように、途中から前方に向かって下降傾斜となっている（前端から後方途中まで上り傾斜となっている）。また両側の側壁には、図６(b)に示すように、その後部側の内面に、前記水平面用受け板３ｃの両端を載置するための受け台３ａ１、３ａ１が水平状態に突設固定してあり、更に前部側の内面に、前記上り斜面用受け板３ｂの両端を載置するための受け台３ａ２、３ａ２が、その傾斜に対応する傾斜角度で突設固定してある。
【００２７】
前記ホールカップ配置部３ｄは、図６(b)に示すように、前記受け枠本体３ａの後部側底面上にそのためのエリアを確保したものである。
【００２８】
前記ガイド通路４は、ゴルフボールを通過させうる幅を持った溝を構成した長尺部材であり、溝の両側の側板の高さは、前記実施例のホールカップの上板部２ａの上面より若干低く構成してある。図６(b)に示すように、これを、前記ホールカップ配置部３ｄの直前に前記受け枠本体３ａの前後方向に直交する向きで配置するものである。当然、前記溝は、案内方向に向かって下降傾斜している。
【００２９】
該受け枠本体３ａの側壁のうち、該ガイド通路４の下流側が接する部位には、図５及び図６(a)、(b)に示すように、該ガイド通路４に案内されて該部位に転動してきたゴルフボールを通過させるべく通過穴３ａ３を開口してある。
【００３０】
前記リターン通路５は、図５及び図６(a)、(b)に示すように、ゴルフボールを通過させうる幅を持った溝を構成し、後端（上流端）を閉じ、前端（下流端）を開いた長尺部材であり、上流側の一側部に、側板を切り欠いたボール導入口を構成してあり、この部位を前記通過穴３ａ３に一致させるように、前記受け枠本体３ａの側部に配置するものである。当然、前記溝は下流側に向かって下降傾斜するように構成してある。
【００３１】
この実施例で使用するゴルフパット練習機は以上の構成であり、この実施例のホールカップは、当然、図６(b)に示すように、該ゴルフパット練習機のホールカップ配置部３ｄに、その前部を前方に向けて配置して使用する。
【００３２】
ゴルフパット練習機は、以上のように、ホールカップをホールカップ配置部３ｄに配置した上で、図６(b)に示すように、その直前にガイド通路４を配置し、外部には、前記のように、リターン通路５を配置し、受け枠本体３ａ内の後部側には、前記受け台３ａ１、３ａ１を利用して前記水平面用受け板３ｃを配置し、前部側には、前記受け台３ａ２、３ａ２を利用して前記上り斜面用受け板３ｂを配置し、更にそれらの上に、前記帯状人工芝６の後端側を載置しつつ前方に延長状態に配置する。該帯状人工芝６の後端部付近のホール６ｈは、このとき、図５に示すように、当然、前記水平面用受け板３ｃのホール３ｃｈと上下一致させた状態に配置する。
【００３３】
この後、このゴルフパット練習機で、パッティングの練習をすると、前記帯状人工芝６上を転動するボールがホールインした場合には、当然、そのホール６ｈ及びその直下の水平面用受け板３ｃのホール３ｃｈ中を通じて落下したボールは、その下方のホールカップ配置部３ｄに配置したホールカップ中に落下し、かつその音響板部２の上板部２ａに衝突し、ゴルフ場のグリーンでホールインした場合に近似する落下音を響かせることになる。こうしてホールインの快適な感覚を味わうことができる。その後、ボールは、該音響板部２の上板部２ａから前記ガイド通路４中に落下し、ここから前記通過穴３ａ３を通じて前記リターン通路５に導かれ、該リターン通路５を経て練習者側に戻ってくることになる。
【００３４】
この実施例のホールカップは、前記のように、いずれも金属（ＳＰＣＣ）製の外側支持壁部１とその内部の下部側に固定された音響板部２とで構成したものであり、ホールインしたボールは、前記のように、該音響板部２上に落下する。該音響板部２は、前記上板部２ａと前記直立板部２ｂと前記下板部２ｃとで縦断面コ字形に構成した部材であり、該下板部２ｃは、その外周のうち、前端を除く全部位が前記外側支持壁部１の内周に溶接固定してあり、該直立板部２ｂは両側上下端が該外側支持壁部１の対応する部位に溶接固定してあり、また該上板部２ａは、その後部の円形状の部位の前記二箇所のみが該外側支持壁部１の対応する部位に点溶接により固定されている。
【００３５】
そのため、前記したように、ホールインしたボールは、該音響板部２においては、上板部２ａ上に落下し、該上板部２ａは、前記のように、その後部側は二箇所のみが該外側支持壁部１の内周の対応する部位に点溶接してあるだけなので、前記ボールの落下により、良好に振動することになる。該上板部２ａ、該直立板部２ｂ、該下板部２ｃ及び該外側支持壁部１で囲まれた空間が共鳴器として作用し、該上板部２ａの振動による音響を増幅することになる。こうしてゴルフ場のグリーンでホールインした場合に近似する落下音を大きく響かせ、快適な感覚を味わうことができることになる。
【産業上の利用可能性】
【００３６】
本考案のゴルフパット練習機用のホールカップは、ゴルフ用具の製造業の分野で利用することができる。
【符号の説明】
【００３７】
１    外側支持壁部
１ａ  半円筒状部
１ｂ  直線板部
２    音響板部
２ａ  上板部
２ｂ  直立板部
２ｃ  下板部
３    受け枠部
３ａ  受け枠本体
３ａ１  水平面用受け板用の受け台
３ａ２  上り斜面用受け板用の受け台
３ａ３  通過穴
３ｂ  上り斜面用受け板
３ｃ  水平面用受け板
３ｃｈ  ホール
３ｄ  ホールカップ配置部
４    ガイド通路
５    リターン通路
６    帯状人工芝
６ｈ  ホール
ｗ１  直立板部の下端と下板部の前端との溶接部位
ｗ２、ｗ３  直立板部の両側上下端部と外側支持壁部の内側との溶接部位
ｗ４  下板部の前端部を除く外側支持壁部の内周との溶接部位
ｗ５  上板部の後部の半円状の部位と外側支持壁部の内周との溶接部位
【図１】
0003187359.tif 000003
【図２】
0003187359.tif 000004
【図３】
0003187359.tif 000005
【図４】
0003187359.tif 000006
【図５】
0003187359.tif 000007
【図６】
0003187359.tif 000008